(57)【要約】【課題】照明装置の発光領域を有機ＥＬ素子で構成した場合であっても、該有機ＥＬ素子の寿命を延ばすことができる液晶表示装置を提供する。【解決手段】液晶のデータ書き替えの開始（時間ｔｓ１）と同時に、照明装置の発光領域を構成する線状発光領域の切替制御を開始し、当該線状発光領域の輝度を徐々に上昇させる。このとき、光源制御部は、液晶の応答が完了する時点（時間ｔ１）よりも遅く、かつ線状発光領域の点灯切替時（時間ｔ２）までの間に前記輝度が設定輝度に到達するように制御する。この制御により、有機ＥＬ素子は、点灯切替時において急激な電流供給がなされなくなるので、寿命が延びる。【選択図】      図４
2006323299.tif 000002
【特許請求の範囲】
【請求項１】
有機ＥＬ素子で構成された面状の発光領域を備え、前記面状の発光領域は液晶の垂直走査方向と直交する方向に延びる複数の線状発光領域で構成された照明装置をバックライトとして用いた液晶表示装置において、
液晶の駆動データを書き替える液晶駆動部と、
前記複数の線状発光領域を、前記液晶の垂直走査に同期して順に発光するように発光状態と非発光状態とに切替制御する制御部とを備え、
前記制御部は、前記線状発光領域を発光状態に切替制御する場合、前記駆動データの書き替え対象となった前記液晶に対応する線状発光領域の輝度を時間の経過とともに上昇させ、当該輝度を前記液晶の応答が完了する時点よりも遅く、かつ前記複数の線状発光領域の何れかが発光状態又は非発光状態に切り替わる点灯切替時点までの間に予め定めた設定輝度に到達させることを特徴とする液晶表示装置。
【請求項２】
前記制御部は、前記液晶の駆動データの書き替え開始と同時に前記線状発光領域の切替制御を開始させることを特徴とする請求項１に記載の液晶表示装置。
【請求項３】
前記制御部は、前記線状発光領域の非発光状態において前記有機ＥＬ素子に逆バイアス電圧を印加させることを特徴とする請求項１又は請求項２に記載の液晶表示装置。
【請求項４】
前記制御部は、前記発光状態に切替制御した線状発光領域を、次フレームにおける前記駆動データの書き替え開始の直前に前記非発光状態へ切替制御することを特徴とする請求項１又は請求項２に記載の液晶表示装置。
【発明の詳細な説明】
【技術分野】
【０００１】
本発明は、面状の発光領域が有機ＥＬ素子で構成された照明装置をバックライトとして用いた液晶表示装置に関する。
【背景技術】
【０００２】
液晶表示装置は、コンピュータ、携帯機器などの表示装置として広く知られている。この液晶表示装置は、バックライトを有し、該バックライトを構成する面発光素子をオン／オフ駆動させることにより、画像を形成する液晶パネルに背面から表示光が与えられるようになっている（特許文献１参照）。
【０００３】
ところで、近年、液晶表示装置には、静止画像だけでなく動画像の表示もなされている。しかし、液晶表示装置は、動画像を表示した際に、ＣＲＴ（Cathode Ray Tube）に比較して、画質が悪い（残像が見えて動きがぼける）という問題がある。この原因としては、液晶は光を透過させる状態（透過状態）と、光の透過を阻止する状態（非透過状態）とに配列（配向）が変化するのに時間がかかり、バックライトが常時点灯していると、非透過状態に駆動される部分の配列変化が遅れることで残像が見えることが挙げられる。そこで、近年では、バックライトの発光領域を複数の線状発光領域に分割形成し、該線状発光領域を順に点灯させる擬似インパルス駆動方式でバックライトを駆動させることが考えられている。
【特許文献１】特開２００２−２２９０２１号公報
【発明の開示】
【発明が解決しようとする課題】
【０００４】
しかしながら、擬似インパルス駆動方式では、バックライトを構成する複数の線状発光領域が発光（点灯）と非発光（消灯）を頻繁に繰り返すこととなる。このため、バックライトの発光領域を有機ＥＬ素子で構成した場合には、点灯毎に有機ＥＬ素子に対して電流供給がなされ、その電流供給が繰り返される。したがって、有機ＥＬ素子の寿命が短くなる虞があった。
【０００５】
この発明は、このような従来の技術に存在する問題点に着目してなされたものであり、その目的は、照明装置の発光領域を有機ＥＬ素子で構成した場合であっても、該有機ＥＬ素子の寿命を延ばすことができる液晶表示装置を提供することにある。
【課題を解決するための手段】
【０００６】
本発明の液晶表示装置は、有機ＥＬ素子で構成された面状の発光領域を備え、前記面状の発光領域は液晶の垂直走査方向と直交する方向に延びる複数の線状発光領域で構成された照明装置をバックライトとして用いた液晶表示装置において、液晶の駆動データを書き替える液晶駆動部と、前記複数の線状発光領域を、前記液晶の垂直走査に同期して順に発光するように発光状態と非発光状態とに切替制御する制御部とを備え、前記制御部は、前記線状発光領域を発光状態に切替制御する場合、前記駆動データの書き替え対象となった前記液晶に対応する線状発光領域の輝度を時間の経過とともに上昇させ、当該輝度を前記液晶の応答が完了する時点よりも遅く、かつ前記複数の線状発光領域の何れかが発光状態又は非発光状態に切り替わる点灯切替時点までの間に予め定めた設定輝度に到達させる。
【０００７】
これによれば、駆動データの書き替え対象となった液晶に対応する線状発光領域は、発光状態に切替制御される際にその輝度が徐々に上昇するように制御され、設定輝度に到達することによって発光状態に切り替えられる。このため、面状の発光領域が複数の線状発光領域に分割され、その線状発光領域が順に発光するように切替制御される場合であっても（擬似インパルス駆動）、有機ＥＬ素子の寿命を延ばすことが可能となる。すなわち、有機ＥＬ素子に対する電流供給が点灯切替時に急激に行われないので、擬似インパルス駆動方式で照明装置を駆動させても該照明装置を構成する有機ＥＬ素子の寿命を延ばすことが可能である。
【０００８】
また、前記制御部は、前記液晶の駆動データの書き替え開始と同時に前記線状発光領域の切替制御を開始させても良い。
また、前記制御部は、前記線状発光領域の非発光状態において前記有機ＥＬ素子に逆バイアス電圧を印加させても良い。
【０００９】
また、前記制御部は、前記発光状態に切替制御した線状発光領域を、次フレームにおける前記駆動データの書き替え開始の直前に前記非発光状態へ切替制御しても良い。
【発明の効果】
【００１０】
本発明によれば、照明装置の発光領域を有機ＥＬ素子で構成した場合であっても、該有機ＥＬ素子の寿命を延ばすことができる。
【発明を実施するための最良の形態】
【００１１】
（第１の実施形態）
以下、本発明を具体化した第１の実施形態を図１〜図４にしたがって説明する。
図１は、本実施形態の液晶表示装置１１の主要部構成を示したブロック図である。本実施形態の液晶表示装置１１は、液晶パネル１２と、該液晶パネル１２を制御する液晶駆動部１３と、照明装置１４と、該照明装置１４を制御する制御部Ｓを構成する光源制御部１５と電流コントローラ１６とを備えている。
【００１２】
本実施形態の液晶パネル１２は、アクティブマトリックス型とされている。図２に示すように、液晶パネル１２は、一対の透明な基板１７，１８を備え、両基板１７，１８は所定の間隔を保った状態で、図示しないシール材により貼り合わされている。基板１７，１８は、例えば、ガラス製である。両基板１７，１８には、液晶１９が封止されている。照明装置１４側に配置される基板１７には、液晶１９と対向する面に画素電極２０と、画素電極２０に接続された薄膜トランジスタ（ＴＦＴ）２１とが多数形成されている。画素電極２０は、ＩＴＯ（インジウム錫酸化物）で形成されている。本実施形態の液晶パネル１２では、３個の画素電極２０が１組で１個の画素を構成している。また、基板１７には、液晶１９と反対側の面に偏光板２２が配設されている。
【００１３】
基板１８には、液晶１９側の面にカラーフィルタ２３が形成され、カラーフィルタ２３上には全画素共通の透明電極２４が形成されている。透明電極２４もＩＴＯで形成されている。カラーフィルタ２３は、赤色、緑色及び青色の光を透過する領域２３ａ，２３ｂ，２３ｃがサブ画素を構成する各画素電極２０と対応するように配設されている。各領域２３ａ〜２３ｃは、ブラックマトリックス２５で区画されている。基板１８の液晶１９と反対側の面には、偏光板２６が形成されている。
【００１４】
液晶駆動部１３は、入力した画像信号と同期信号に基づき、液晶パネル１２のゲート電極（走査電極）に走査信号を供給して該ゲート電極を駆動するとともに、液晶パネル１２のソース電極（データ電極）にデータ信号を供給して該ソース電極を駆動する。
【００１５】
照明装置１４は、液晶パネル１２の背面（表示面と反対側の面）側にバックライトとして配置される。本実施形態の照明装置１４は、面状の発光領域がＥＬ（エレクトロルミネッセンス）素子で構成されている。図２に示すように、照明装置１４は、透明な基板２７上に形成された有機ＥＬ素子２８を備えている。有機ＥＬ素子２８は、基板２７側から透明電極（第１電極）２９と、有機層３０と、対向電極（第２電極）３１が順に積層されて形成されている。有機ＥＬ素子２８は、有機層３０が水分（水蒸気）及び酸素の悪影響を受けないように、保護膜３２で被覆されている。
【００１６】
本実施形態では、基板２７として透明なガラス基板が使用されている。また、透明電極２９が陽極を構成し、対向電極３１が陰極を構成する。透明電極２９は、公知の有機ＥＬ素子で透明電極として用いられるＩＴＯ（インジウム錫酸化物）により形成され、光透過性を有する。対向電極３１は、金属（例えば、アルミニウム）で形成され、光を反射する機能を有する。有機層３０は、透明電極２９側から順に正孔輸送層３３、発光層３４及び電子輸送層３５が積層されて形成されている。有機ＥＬ素子２８は、有機層３０からの光が基板２７側から取り出される（出射される）ボトムエミッションタイプに構成されている。保護膜３２は、例えば窒化ケイ素で形成されている。
【００１７】
有機ＥＬ素子２８は、液晶パネル１２と対向する側に配置される透明電極２９が全ての発光領域に共通のベタ電極で構成され、透明電極２９より抵抗の低い材質で形成されるとともに有機層３０を挟んで透明電極２９と反対側に配置される複数の対向電極３１が線状（帯状）に形成されている。対向電極３１は、液晶パネル１２（液晶１９）の垂直走査方向（図２の左右方向）と直交する方向（図２の紙面と垂直方向）に延びるように形成されている。有機ＥＬ素子２８は、各対向電極３１と対向する領域が発光領域となる。そして、有機ＥＬ素子２８の発光領域は、図３に示すように、液晶パネル１２（液晶１９）の垂直走査方向と直交する方向に延びる複数の線状発光領域３６で構成されている。本実施形態では、有機ＥＬ素子２８の発光領域が６つの線状発光領域３６に分割されている。なお、図３は、照明装置１４の発光領域を模式的に図示している。そして、各有機層３０及び対向電極３１は絶縁材からなる隔壁３７より線状発光領域３６に区画されている。
【００１８】
図２に示すように、線状発光領域３６の幅は、１画素分、すなわち、３個の領域２３ａ，２３ｂ，２３ｃの合計幅ではなく、複数画素分の領域２３ａ，２３ｂ，２３ｃの合計幅に形成されている。すなわち、線状発光領域３６は、複数列分の画素領域を照明するのに必要な幅で形成されている。本実施形態において各線状発光領域３６は、液晶パネル１２の液晶１９の行（走査ライン）と対応付けられており、各線状発光領域３６に対応する液晶１９の行数（走査ライン数）が同一数となるように等分割されている。すなわち、６つの線状発光領域３６は、その発光面積が等しくなるように等分割されている。
【００１９】
有機ＥＬ素子２８は、電気的にはダイオード成分と、そのダイオード成分と並列に接続された寄生容量成分とによる構成として置き換えることができると考えられている。そして、有機ＥＬ素子２８は、駆動電圧が印加されると、先ず、当該有機ＥＬ素子２８の電気容量に相当する電荷が累積される。続いて、有機ＥＬ素子２８は、素子固有の一定の電圧（発光閾値）に達すると、ダイオード成分の陽極側から発光層を構成する有機層３０に電流が流れ始め、この電流に比例した強度（輝度）で発光すると考えられている。
【００２０】
光源制御部１５は、照明装置１４を構成する複数の線状発光領域３６を、液晶パネル１２（液晶１９）の垂直走査（走査信号の出力）に同期して順に発光するように発光状態と非発光状態に切替制御する（擬似インパルス駆動）。本実施形態において光源制御部１５は、６つの線状発光領域３６の切替制御を１フレーム周期で行う。１フレームとは、液晶パネル１２の１画面を構成する画素の全てが走査される期間である。光源制御部１５により切替制御される各線状発光領域３６は、１フレームの１／６の長さ間隔で順に発光状態（点灯状態）となる。なお、各線状発光領域３６は、発光状態になると、予め定めた発光時間（一定時間）の間、発光状態を継続し、その発光時間の経過後に非発光状態となり、予め定めた非発光時間（一定時間）の間、非発光状態を継続する。本実施形態において発光時間は、線状発光領域３６が予め定めた設定輝度Ｋ（照明装置１４をバックライトとして機能させるために必要な輝度）で発光を開始してからの時間である。
【００２１】
そして、光源制御部１５は、同期信号を入力し、液晶１９のデータ書き替え開始（最初の行の書き替え開始）と同時に、該液晶１９に対応する線状発光領域３６の切替制御を開始する。切替制御を開始した光源制御部１５は、有機ＥＬ素子２８に駆動電圧を印加する。また、光源制御部１５は、線状発光領域３６を発光状態に切り替えると、発光状態の開始から発光時間の経過時に、該線状発光領域３６を非発光状態に切替制御する。
【００２２】
電流コントローラ１６は、光源制御部１５の印加した駆動電圧を線状発光領域３６の輝度が予め定めた輝度上昇パターン（図４参照）にしたがって上昇するように変換し、有機ＥＬ素子２８（有機層３０）に流れる電流量を制御する。本実施形態において電流コントローラ１６は、線状発光領域３６の輝度が時間の経過とともに徐々に上昇するように電流量を制御する。
【００２３】
図４は、本実施形態における液晶１９の応答時間と有機ＥＬ素子２８の輝度との関係を示すタイムチャートである。
液晶１９は、液晶駆動部１３により駆動データの書き替え（データ書き替え）が行われる。図４に示す時間ｔｓ１は、液晶１９へのデータ書き替えの開始時点であり、時間ｔ１は、データ書き替えの開始から最後の行へのデータ書き替えが終了し、液晶１９の応答が完了した時点である。液晶１９の応答が完了するとは、液晶１９が光を透過させる状態（透過状態）と光の透過を阻止する状態（非透過状態）とに配列（配向）が変化することである。なお、液晶１９の応答が完了した時点とは、一般的に液晶１９の応答が９０％以上完了した時点を意味する。
【００２４】
一方、光源制御部１５は、液晶１９へのデータ書き替えが開始する時間ｔｓ１で線状発光領域３６の切替制御を開始する。また、電流コントローラ１６は、線状発光領域３６の輝度が図４の下段に示す特性となるように輝度上昇パターンにしたがって電流量を制御する。本実施形態の輝度上昇パターンは、線状発光領域３６の輝度が緩やかなカーブを描くように（曲線的）に徐々に上昇し、時間ｔ２の経過時に線状発光領域３６の輝度が設定輝度Ｋへ到達するように定められている。時間ｔ２は、液晶１９の応答が完了する時間ｔ１から所定時間遅れた時間に設定されている。また、時間ｔ２は、擬似インパルス駆動における線状発光領域３６の点灯切替時（液晶１９の応答が完了する時間ｔ１から直近（最も時間的に近い）の点灯切替時）と一致するように設定されている。点灯切替時は、他の線状発光領域３６が発光状態から非発光状態に切り替わるタイミング、又は線状発光領域３６が非発光状態から発光状態に切り替わるタイミングである。
【００２５】
なお、有機ＥＬ素子２８は、前述したように素子固有の一定の電圧（発光閾値）に達すると、ダイオード成分の陽極側から発光層を構成する有機層３０に電流が流れ始める。そして、線状発光領域３６は、有機ＥＬ素子２８に駆動電圧を印加した直後の輝度が「０（零）」となり、一定の電圧に達すると電流が流れ始めて輝度が上昇していく。このため、本実施形態では、液晶１９へのデータ書き替えの開始タイミングと線状発光領域３６の切替制御の開始タイミングは一致するが、線状発光領域３６が発光するタイミングは若干遅延する。
【００２６】
光源制御部１５により切替制御された線状発光領域３６は、時間ｔ２の経過時にその輝度が設定輝度Ｋに到達し、発光状態となる。そして、光源制御部１５は、時間ｔ３の経過時まで線状発光領域３６を発光状態に維持し（時間ｔ２〜時間ｔ３の間）、時間ｔ３の経過時に線状発光領域３６を発光状態から非発光状態に切替制御する。時間ｔ３の経過時に非発光状態となった線状発光領域３６は、次フレームにて液晶１９へのデータ書き替えが開始する迄の間、非発光状態を維持する（時間ｔ３〜次フレームの時間ｔｓ２の間）。制御部Ｓ（光源制御部１５と電流コントローラ１６）は、各フレームにおいて前述のように線状発光領域３６を制御する。
【００２７】
本実施形態の液晶表示装置１１では、液晶１９へのデータ書き替えの開始と同時に線状発光領域３６の切替制御（非発光状態から発光状態への切り替え）も開始される。そして、線状発光領域３６の輝度は、液晶１９へのデータ書き替えが進行する毎に上昇し、液晶１９の応答完了後に設定輝度に到達する。線状発光領域３６の輝度が図４に示すように徐々に上昇する場合、有機ＥＬ素子２８に流れる電流量は、線状発光領域３６の輝度上昇に対応して徐々に増加されることになる。
【００２８】
したがって、本実施形態によれば、以下に示す効果（１）〜（３）を得ることができる。
（１）線状発光領域３６を発光状態に切替制御する場合、制御部Ｓにより、当該線状発光領域３６の輝度を徐々に上昇させるようにした。このため、照明装置１４の発光領域が複数の線状発光領域３６に分割され、その線状発光領域３６を順に発光させるように切替制御する場合であっても、有機ＥＬ素子２８の寿命を延ばすことができる。すなわち、有機ＥＬ素子２８に対する電流供給が点灯切替時（図４に示す時間ｔ２）に急激に行われないので、線状発光領域３６が頻繁に発光（点灯）／非発光（消灯）を繰り返す擬似インパルス駆動方式で照明装置１４を駆動させても、有機ＥＬ素子２８の寿命を延ばすことができる。
【００２９】
（２）また、線状発光領域３６の輝度を徐々に上昇させることにより、当該線状発光領域３６は、その点灯切替時（図４に示す時間ｔ２）に達する前にある程度の輝度で発光していることになる。したがって、照明装置１４の平均輝度を上げることができる。また、平均輝度が同じ場合は、ピーク輝度が低くなる。
【００３０】
（３）光源制御部１５は、液晶駆動部１３による液晶１９のデータ書き替え開始と同時に線状発光領域３６の切替制御を開始する。このため、光源制御部１５は、同期信号を入力し、液晶１９のデータ書き替え開始タイミングを把握するだけ、線状発光領域３６の切替制御を開始させることができる。したがって、線状発光領域３６の切替制御の開始タイミングをタイマなどの計時手段を用いて計る必要がなく、制御を簡素化することができる。
【００３１】
（第２の実施形態）
次に、本発明を具体化した第２の実施形態を図５にしたがって説明する。なお、以下に説明する実施形態において、既に説明した実施形態と同一構成については同一符号を付すなどして、その重複する説明を省略又は簡略する。
【００３２】
有機ＥＬ素子２８は、電気的にはダイオード成分と、ダイオード成分と並列に接続された寄生容量成分とによる構成として置き換えることができると考えられている。そして、有機ＥＬ素子２８は、ダイオード成分の順方向電流にほぼ比例した強度で発光することが知られている。また、有機ＥＬ素子２８においては、発光に関与しない逆方向の電圧（逆バイアス電圧）を印加することで、有機ＥＬ素子２８の寿命を延ばすことができることが経験的に知られている。
【００３３】
このため、本実施形態では、液晶表示装置１１が擬似インパルス駆動される際、有機ＥＬ素子２８に電圧を印加させない（印加電圧をグランドレベル（０Ｖ））に保持する）非発光状態において、有機ＥＬ素子２８に逆バイアス電圧が印加されるようになっている。すなわち、光源制御部１５は、図５に示すように、発光状態においては所定の駆動電圧Ｖｆを有機ＥＬ素子２８に印加し、非発光状態においては逆バイアス電圧−Ｖｆを印加する。
【００３４】
したがって、本実施形態によれば、第１の実施形態の効果（１）〜（３）に加えて以下に示す効果を得ることができる。
（４）液晶表示装置１１が擬似インパルス駆動される場合、有機ＥＬ素子２８は、発光状態と非発光状態を繰り返す。このため、擬似インパルス駆動において有機ＥＬ素子２８が非発光状態となる期間を利用して逆バイアス電圧を印加することで、照明装置１４の輝度を低下させることなく（又は照明装置１４の発光時間を低下させることなく）、逆バイアス電圧を印加させることができる。そして、逆バイアス電圧の印加により、有機ＥＬ素子２８の寿命を延ばすことができる。
【００３５】
（第３の実施形態）
次に、本発明を具体化した第３の実施形態を図６にしたがって説明する。
本実施形態では、線状発光領域３６を発光状態から非発光状態に切替制御するタイミングが異なっている。本実施形態の液晶表示装置１１では、図６に示すように、発光状態に切替制御された線状発光領域３６が、次フレームにて液晶１９のデータ書き換えが開始する時点（時間ｔｓ２）の直前で非発光状態に切替制御されるようになっている。このため、発光状態とされた線状発光領域３６は、次フレームにおいて液晶１９のデータ書き替えが開始する直前まで発光状態を維持する。
【００３６】
したがって、本実施形態によれば、第１の実施形態の効果（１）〜（３）に加えて以下に示す効果を得ることができる。
（５）線状発光領域３６の発光期間が長くなるので、発光デューティを最大にすることができる。発光デューティは、１フレームにおいて線状発光領域３６が発光する割合を意味する。線状発光領域３６の発光デューティが最大になると、照明装置１４として同じ輝度において、各線状発光領域３６のピーク電流値が最小になり、有機ＥＬ素子２８の寿命を延ばすことができる。また、同じ電力消費量であれば、電力効率が良くなって照明装置１４の輝度が向上する。
【００３７】
なお、本実施形態は以下のように変更してもよい。
○  線状発光領域３６の輝度を上昇させる輝度上昇パターン（上昇の傾き）を変更しても良い。図７には、他の輝度上昇パターンを例示している。図７（ａ）は、実施形態で説明した輝度上昇パターンと曲線の向きが異なるパターンである。図７（ｂ）は、直線的に輝度を上昇させるパターンである。図７（ｃ）は、液晶１９のデータ書き替えが開始する時点（時間ｔｓ）に対して線状発光領域３６の切替制御を開始する時点（時点ｔｓａ）を遅らせ、時間ｔ２で設定輝度に到達するパターンである。また、図示しないが、線状発光領域３６の輝度をステップ状に上昇させても良い。線状発光領域３６の切替制御の開始時点は、液晶１９のデータ書き替えが開始する時点と同一時点から時点ｔ２と一致しない時点までの範囲で設定する。
【００３８】
○  照明装置１４の発光領域を構成する線状発光領域３６の数（分割数）を変更しても良い。
○  照明装置１４の発光領域を構成する線状発光領域３６は等分割に限らず、線状発光領域３６毎に対応する液晶１９の行数が異なるように分割しても良い。
【００３９】
○  逆バイアス電圧は、線状発光領域３６の非発光状態において、全期間印加しても良いし、一部の期間印加しても良い。
○  照明装置１４は、ボトムエミッションタイプに限らず、基板と反対側から光を出射するトップエミッションタイプとしても良い。
【図面の簡単な説明】
【００４０】
【図１】液晶表示装置の主要構成を示すブロック図。
【図２】液晶パネルと照明装置を示す模式部分断面図。
【図３】線状発光領域を示す模式図。
【図４】第１の実施形態における液晶の応答時間と有機ＥＬ素子の輝度との関係を示すタイムチャート。
【図５】第２の実施形態における有機ＥＬ素子への印加電圧の波形を示すグラフ。
【図６】第３の実施形態における有機ＥＬ素子の輝度を示すタイムチャート。
【図７】（ａ）〜（ｃ）は、別例における有機ＥＬ素子の輝度を示すタイミングチャート。
【符号の説明】
【００４１】
１１…液晶表示装置、１３…液晶駆動部、１４…照明装置、１５…光源制御部、１６…電流コントローラ、１９…液晶、２８…有機ＥＬ素子、３６…線状発光領域、Ｋ…設定輝度、Ｓ…制御部。
【図１】
2006323299.tif 000003
【図２】
2006323299.tif 000004
【図３】
2006323299.tif 000005
【図４】
2006323299.tif 000006
【図５】
2006323299.tif 000007
【図６】
2006323299.tif 000008
【図７】
2006323299.tif 000009